【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
（Ａ）着色剤と、（Ｂ）分散剤と、（Ｃ）溶剤とを含有し、前記（Ａ）着色剤が、下記一般式（Ｉ）で表される色材と、キサンテン系染料とを含み、前記（Ｃ）溶剤は、前記色材及び前記キサンテン系染料の２３℃における溶解度がそれぞれ０．２（ｇ／１００ｇ溶剤）以下の溶剤であり、前記色材及び前記キサンテン系染料とが、前記（Ｂ）分散剤により、前記（Ｃ）溶剤に分散されてなる、着色剤分散液。
【化１】
2014152274.tif 000001
（一般式（Ｉ）中、Ａは、Ｎと直接結合する炭素原子がπ結合を有しないａ価の有機基であって、当該有機基は、少なくともＮと直接結合する末端に飽和脂肪族炭化水素基を有する脂肪族炭化水素基、又は当該脂肪族炭化水素基を有する芳香族基を表し、炭素鎖中にＯ、Ｓ、Ｎが含まれていてもよい。Ｂｃ−はｃ価のアニオンであって、タングステンとモリブデンとのモル比が１００：０〜９０：１０の無機酸アニオンを表す。Ｒ１〜Ｒ５は各々独立に水素原子、置換基を有していてもよいアルキル基又は置換基を有していてもよいアリール基を表し、Ｒ２とＲ３、Ｒ４とＲ５が結合して環構造を形成してもよい。Ａｒ１は置換基を有していてもよい２価の芳香族基を表す。複数あるＲ１〜Ｒ５及びＡｒ１はそれぞれ同一であっても異なっていてもよい。
ａ及びｃは２以上の整数、ｂ及びｄは１以上の整数を表す。ｅは０又は１であり、ｅが０のとき結合は存在しない。複数あるｅは同一であっても異なっていてもよい。）
【請求項２】
前記キサンテン系染料が、下記一般式（ＩＩ）で表される化合物である、請求項１に記載の着色剤分散液。
【化２】
2014152274.tif 000002
（一般式（ＩＩ）中、Ｒ６及びＲ７は、それぞれ独立に、アルキル基、又はアリール基であり、Ｒ８及びＲ９は、それぞれ独立に、アリール基、又はヘテロアリール基である。）
【請求項３】
前記（Ｂ）分散剤が、ウレタン系分散剤を含み、少なくとも前記キサンテン系染料が前記ウレタン系分散剤により分散されてなる、請求項１又は２に記載の着色剤分散液。
【請求項４】
更に酸化防止剤を含有する、請求項１乃至３のいずれか一項に記載の着色剤分散液。
【請求項５】
（Ａ）着色剤と、（Ｂ）分散剤と、（Ｃ）溶剤とを含有し、前記（Ａ）着色剤が、下記一般式（Ｉ）で表される色材と、キサンテン系染料とを含み、前記（Ｃ）溶剤は、前記色材及び前記キサンテン系染料の２３℃における溶解度がそれぞれ０．２（ｇ／１００ｇ溶剤）以下の溶剤である、着色剤分散液の製造方法であって、
前記（Ｃ）溶剤に、前記色材と、前記キサンテン系染料と、前記（Ｂ）分散剤とを加え、前記色材と前記キサンテン系染料とを共分散する工程を有することを特徴とする、着色剤分散液の製造方法。
【化３】
2014152274.tif 000003
（一般式（Ｉ）中、Ａは、Ｎと直接結合する炭素原子がπ結合を有しないａ価の有機基であって、当該有機基は、少なくともＮと直接結合する末端に飽和脂肪族炭化水素基を有する脂肪族炭化水素基、又は当該脂肪族炭化水素基を有する芳香族基を表し、炭素鎖中にＯ、Ｓ、Ｎが含まれていてもよい。Ｂｃ−はｃ価のアニオンであって、タングステンとモリブデンとのモル比が１００：０〜９０：１０の無機酸アニオンを表す。Ｒ１〜Ｒ５は各々独立に水素原子、置換基を有していてもよいアルキル基又は置換基を有していてもよいアリール基を表し、Ｒ２とＲ３、Ｒ４とＲ５が結合して環構造を形成してもよい。Ａｒ１は置換基を有していてもよい２価の芳香族基を表す。複数あるＲ１〜Ｒ５及びＡｒ１はそれぞれ同一であっても異なっていてもよい。
ａ及びｃは２以上の整数、ｂ及びｄは１以上の整数を表す。ｅは０又は１であり、ｅが０のとき結合は存在しない。複数あるｅは同一であっても異なっていてもよい。）
【請求項６】
（Ａ）着色剤と、（Ｂ）分散剤と、（Ｃ）溶剤と、（Ｄ）バインダー成分を含有し、前記（Ａ）着色剤が、下記一般式（Ｉ）で表される色材と、キサンテン系染料とを含み、前記（Ｃ）溶剤は、前記色材及び前記キサンテン系染料の２３℃における溶解度がそれぞれ０．２（ｇ／１００ｇ溶剤）以下の溶剤であり、前記色材及び前記キサンテン系染料とが、前記（Ｂ）分散剤により、前記（Ｃ）溶剤に分散されてなる、カラーフィルタ用着色樹脂組成物。
【化４】
2014152274.tif 000004
（一般式（Ｉ）中、Ａは、Ｎと直接結合する炭素原子がπ結合を有しないａ価の有機基であって、当該有機基は、少なくともＮと直接結合する末端に飽和脂肪族炭化水素基を有する脂肪族炭化水素基、又は当該脂肪族炭化水素基を有する芳香族基を表し、炭素鎖中にＯ、Ｓ、Ｎが含まれていてもよい。Ｂｃ−はｃ価のアニオンであって、タングステンとモリブデンとのモル比が１００：０〜９０：１０の無機酸アニオンを表す。Ｒ１〜Ｒ５は各々独立に水素原子、置換基を有していてもよいアルキル基又は置換基を有していてもよいアリール基を表し、Ｒ２とＲ３、Ｒ４とＲ５が結合して環構造を形成してもよい。Ａｒ１は置換基を有していてもよい２価の芳香族基を表す。複数あるＲ１〜Ｒ５及びＡｒ１はそれぞれ同一であっても異なっていてもよい。
ａ及びｃは２以上の整数、ｂ及びｄは１以上の整数を表す。ｅは０又は１であり、ｅが０のとき結合は存在しない。複数あるｅは同一であっても異なっていてもよい。）
【請求項７】
前記キサンテン系染料が、下記一般式（ＩＩ）で表される化合物である、請求項６に記載のカラーフィルタ用着色樹脂組成物。
【化５】
2014152274.tif 000005
（一般式（ＩＩ）中、Ｒ６及びＲ７は、それぞれ独立に、アルキル基、又はアリール基であり、Ｒ８及びＲ９は、それぞれ独立に、アリール基、又はヘテロアリール基である。）
【請求項８】
前記（Ｂ）分散剤が、ウレタン系分散剤を含み、少なくとも前記キサンテン系染料が前記ウレタン系分散剤により分散されてなる、請求項６又は７に記載のカラーフィルタ用着色樹脂組成物。
【請求項９】
更に酸化防止剤を含有する、請求項６乃至８のいずれか一項に記載のカラーフィルタ用着色樹脂組成物。
【請求項１０】
透明基板と、当該透明基板上に設けられた着色層とを少なくとも備えるカラーフィルタであって、当該着色層の少なくとも１つが前記請求項６乃至９のいずれか一項に記載のカラーフィルタ用着色樹脂組成物を硬化させて形成されてなる着色層を有することを特徴とするカラーフィルタ。
【請求項１１】
前記請求項１０に記載のカラーフィルタと、対向基板と、前記カラーフィルタと前記対向基板との間に形成された液晶層とを有することを特徴とする液晶表示装置。
【請求項１２】
前記請求項１０に記載のカラーフィルタと、有機発光体を有することを特徴とする有機発光表示装置。
【手続補正２】
【補正対象書類名】明細書
【補正対象項目名】００１３
【補正方法】変更
【補正の内容】
【００１３】
【化１】
2014152274.tif 000006
（一般式（Ｉ）中、Ａは、Ｎと直接結合する炭素原子がπ結合を有しないａ価の有機基であって、当該有機基は、少なくともＮと直接結合する末端に飽和脂肪族炭化水素基を有する脂肪族炭化水素基、又は当該脂肪族炭化水素基を有する芳香族基を表し、炭素鎖中にＯ、Ｓ、Ｎが含まれていてもよい。Ｂｃ−はｃ価のアニオンであって、タングステンとモリブデンとのモル比が１００：０〜９０：１０の無機酸アニオンを表す。Ｒ１〜Ｒ５は各々独立に水素原子、置換基を有していてもよいアルキル基又は置換基を有していてもよいアリール基を表し、Ｒ２とＲ３、Ｒ４とＲ５が結合して環構造を形成してもよい。Ａｒ１は置換基を有していてもよい２価の芳香族基を表す。複数あるＲ１〜Ｒ５及びＡｒ１はそれぞれ同一であっても異なっていてもよい。
ａ及びｃは２以上の整数、ｂ及びｄは１以上の整数を表す。ｅは０又は１であり、ｅが０のとき結合は存在しない。複数あるｅは同一であっても異なっていてもよい。）
【手続補正３】
【補正対象書類名】明細書
【補正対象項目名】００１９
【補正方法】変更
【補正の内容】
【００１９】
本発明の着色剤分散液、着色剤分散液の製造方法、及びカラーフィルタ用着色樹脂組成物においては、前記一般式（Ｉ）におけるアニオン（Ｂｃ−）が、タングステンとモリブデンとのモル比が１００：０〜９０：１０のポリ酸アニオンであるため、耐熱性が向上する。